(57)【要約】      （修正有）【課題】セキュリティ性が高く、暗い場所でもアドレスを読み取れ、ＮＦＣタグをカードに埋設した場合には、名刺の露出面全体を名刺内容の表示領域にできるＮＦＣタグ付名刺を提供する。【解決手段】ＮＦＣタグ付名刺１０は、露出面に名刺内容が表示されたカード１１と、カード１１の露出面の一部またはその内部に設けられて、所定のコンテンツの提供先のアドレスが記憶されたタグ記憶部を有するＮＦＣタグ１２とを備える。これにより、セキュリティ性が高く、暗い場所でもスマートフォン１３のＮＦＣリーダライタ２４によりアドレスを読み取れ、ＮＦＣタグをカードに埋設した場合には、名刺の露出面全体を名刺内容の表示領域にできる。【選択図】図１
0003229446.tif 000002
【実用新案登録請求の範囲】
【請求項１】
露出面に名刺内容が表示されたカードと、
該カードの露出面の一部またはその内部に設けられて、所定のコンテンツの提供先のアドレスが記憶されたタグ記憶部を有するＮＦＣタグとを備えたことを特徴とするＮＦＣタグ付名刺。
【請求項２】
前記コンテンツは、動画または静止画、メッセージ、ＳＮＳアカウント、サイトアカウント、音楽のうち、少なくとも１つであることを特徴とする請求項１に記載のＮＦＣタグ付名刺。
【請求項３】
前記ＮＦＣタグは、ワンタイムＵＲＬを作成可能なものであることを特徴とする請求項１または請求項２に記載のＮＦＣタグ付名刺。
【考案の詳細な説明】
【技術分野】
【０００１】
本考案は、ＮＦＣタグを取り付けた名刺に関する。
【背景技術】
【０００２】
従来、名刺交換をした相手に情報を発信する必要が生じた際に、電話番号等の宛先番号の読み取り誤りを防止し、かつ簡易なシステム構成でダイヤル操作の誤りがなく、正確に発信できる名刺として、例えば、特許文献１に記載された“バーコード付名刺”が知られている。
【０００３】
このバーコード付名刺は、個人情報などを記憶するバーコード（例えば、ＱＲコード（登録商標）等）が、カードの露出面の一部に表示された名刺である。
利用時には、例えば、スマートフォンのカメラにより名刺のバーコードを読み取り、読み取った名刺情報に基づき、スマートフォンから宛先番号の相手先へ自動的に発信する。
【先行技術文献】
【特許文献】
【０００４】
【特許文献１】特開２００２−１８３６９３号
【考案の概要】
【考案が解決しようとする課題】
【０００５】
しかしながら、このようなバーコード付名刺では、名刺（カード）の露出面にバーコードが表示されており、カメラで写真を撮ればコピーが容易でセキュリティに問題があった。また、スマートフォンに表示された情報のＵＲＬをコピーすることもできるため、カメラを使わずに拡散できることもセキュリティ上問題であった。加えて、暗い場所ではバーコードをカメラにより読み取ることができなかった。さらに、限られた名刺（カード）の露出面に、バーコードを表示するスペースを確保する必要があった。
【０００６】
そこで、考案者は鋭意研究の結果、バーコードに代えてＮＦＣタグを採用すれば、上述した課題は全て解消されることを知見し、本考案のＮＦＣタグ付名刺を完成させた。
【０００７】
本考案は、このような従来技術に鑑みなされたもので、バーコードの場合に比べてセキュリティ性が高く、かつ暗い場所でもコンテンツの提供先のアドレスを読み取ることができるとともに、ＮＦＣタグをカードに埋設した場合には、名刺の露出面全体を名刺内容の表示領域として利用することも可能なＮＦＣタグ付名刺を提供することを目的としている。
【課題を解決するための手段】
【０００８】
請求項１に記載の本考案は、露出面に名刺内容が表示されたカードと、該カードの露出面の一部またはその内部に設けられて、所定のコンテンツの提供先のアドレスが記憶されたタグ記憶部を有するＮＦＣタグとを備えたことを特徴とするＮＦＣタグ付名刺である。
【０００９】
カードの素材は任意である。例えば、各種の紙、各種のプラスチックなどを採用することができる。
カードの形状は、一般的に矩形状であるが任意である。
カードのサイズは任意である。例えば、矩形カードの場合、一般的には縦９１ｍｍ、横５５ｍｍであるが、それより大きくても小さくてもよい。
カードの露出面とは、カードの表面および裏面である。
名刺内容は任意である。例えば、本人の名前、所属、連絡先等が挙げられる。
【００１０】
コンテンツの種類は限定されない。例えば、画像（動画、静止画を含む）、文字列（メッセージ等を含む）、音（音楽を含む）などが挙げられる。具体的には、飲食店用や接客業用の名刺の場合には、常連客の囲い込み用や飲食店の集客等のための限定メッセージ、その他のコンテンツを配信することができる。また、芸能人や有名人の名刺の場合には、アイドル、タレント、アーティストの限定コンテンツ（ライブ入場電子チケットを含む）を配信することができる。さらに、一般企業人の場合には、セミナー、株主総会、会社説明会の動画などを限定配信することができる。さらにまた、家族や知人用の名刺の場合には、誕生日、結婚式などの特別な日の贈り物に配信することができる。
【００１１】
また、神社仏閣用の名刺の場合には、例えば、合格祈願お守り、参拝の証として受け取れる「御朱印」などを上記コンテンツ配信することができる。
すなわち、御朱印のブームは現在も続いており、御朱印授与所にはこれを貰うための行列ができ、新型コロナウイルス（ＣＯＶＩＤ−１９）の感染拡大を防止するソーシャルディスタンスが順守できずにいた。
そこで、例えば、神社仏閣に来て、神社の宮司や寺院の住職からＮＦＣタグ付名刺を受け取るだけで、その御朱印をコンテンツ配信（所望により郵送）することができる。
【００１２】
ＮＦＣ（Ｎｅａｒ  Ｆｉｅｌｄ  Ｃｏｍｍｕｎｉｃａｔｉｏｎ）タグとは、約１０ｃｍの近距離無線通信を行うためのＲＦＩＤ（Ｒａｄｉｏ  ｆｒｅｑｕｅｎｃｙ  ｉｄｅｎｔｉｆｉｃａｔｉｏｎ）である。
ＮＦＣタグは、アンテナと、高周波回路を有したＮＦＣ通信部と、ＲＯＭまたはＲＡＭのタグ記憶部と、ＣＰＵを内蔵した制御部と、電源回路の受電部とを有している。
タグ記憶部には、所定のコンテンツの提供先のアドレスと、名刺内容などが記憶される。
【００１３】
タグ記憶部に記憶されたデータ（所定のコンテンツ提供先のアドレスを含む）のＮＦＣタグ読み取り装置は、データの読み取りのみを行うＮＦＣリーダと、データの読み取りおよび書き換えを行うＮＦＣリーダライタとの何れでもよい。
ＮＦＣタグ読み取り装置は、例えば、パソコンや携帯情報端末に外付けまたは内蔵されたものなどを採用することができる。携帯情報端末の種類は限定されない。例えば、スマートフォン、タブレットなどを採用することができる。なお、読み取り装置に代えて、ＮＦＣタグの読み取り（読み書きを含む）アプリケーションを採用してもよい。
【００１４】
請求項２に記載の本考案は、前記コンテンツは、動画または静止画、メッセージ、ＳＮＳアカウント、サイトアカウント、音楽のうち、少なくとも１つであることを特徴とする請求項１に記載のＮＦＣタグ付名刺である。
【００１５】
請求項３に記載の本考案は、前記ＮＦＣタグは、ワンタイムＵＲＬを作成可能なものであることを特徴とする請求項１または請求項２に記載のＮＦＣタグ付名刺である。
【００１６】
ワンタイムＵＲＬ（Ｏｎｅ−Ｔｉｍｅ  ＵＲＬ）とは、セキュリティを高めるため、一度あるいは限られた時間あるいは限られた回数だけしかリクエストを受け付けないＵＲＬである。
“ワンタイムＵＲＬを発行するＮＦＣタグ”とは、ＮＦＣタグ用の読み取り装置にＮＦＣタグをかざした際に、コンテンツサーバに送信される署名を含む一意のＵＲＬを作成できるタグである。
【００１７】
ここで、ＮＦＣタグを利用してワンタイムＵＲＬが作成される仕組みの一例を説明する。すなわち、ワンタイムＵＲＬ発行用のＮＦＣタグの構成の特徴は、ミラーリング（二重化）対象であるＵＩＤ（固有の識別子）、カウンタ、静的データの一部、タグ改ざんステータス、メッセージ認証コードを個別に構成可能としたセキュアな点である。このような構成のワンタイムＵＲＬ発行用ＮＦＣタグは、スマートフォンのＮＦＣタグ読み取り装置にかざす都度、タグ内でワンタイムＵＲＬが発行される。
もちろん、ワンタイムＵＲＬの発行手段（ワンタイムＵＲＬ作成部）は、これに限定されない。
【考案の効果】
【００１８】
請求項１に記載の考案によれば、例えば、携帯情報端末等のＮＦＣ読み取り装置に名刺のＮＦＣタグをかざすことで、近距離無線通信により携帯情報端末等を自動起動させ、インターネット回線を介して、ＮＦＣタグのタグ記憶部に記憶されたコンテンツの提供先のアドレスにアクセスし、所定のコンテンツを携帯情報端末等に取得することができる。
しかも、ＮＦＣタグを採用しているため、仮に暗い場所でもコンテンツの提供先のアドレスを読み取ることができる。
【００１９】
このように、ＮＦＣタグ付名刺では、所定のコンテンツの取得ツールとしてＮＦＣタグを採用したため、従来のバーコードの場合に比べて、コンテンツの提供先のアドレスをコピーすることが困難で、セキュリティ性が高まる。
また、ＮＦＣタグをカードに埋設した場合には、名刺の露出面全体を名刺内容の表示領域として利用することができる。
【００２０】
特に、請求項２に記載の考案によれば、例えば、携帯情報端末等からインターネット回線を利用してアクセスすることで、動画または静止画、メッセージ、ＳＮＳアカウント、サイトアカウント、音楽のうち、少なくとも１つのコンテンツを得ることができる。
【００２１】
また、請求項３に記載の考案によれば、ＮＦＣタグとして、ワンタイムＵＲＬを作成可能なものを採用したため、ＮＦＣタグ付名刺のＮＦＣタグをＮＦＣ読み取り装置にかざす度に、一意のＵＲＬをＮＦＣタグから発行することができる。これにより、その後に当該ＵＲＬをコピーしてもコンテンツを取得することができず、セキュリティレベルをさらに高めることができる。
【図面の簡単な説明】
【００２２】
【図１】本考案の実施例１に係るＮＦＣタグ付名刺の使用状態を示す全体正面図である。
【図２】本考案の実施例１に係るＮＦＣタグ付名刺の一部を構成するＮＦＣタグの電気系統のブロック図である。
【図３】本考案の実施例１に係るＮＦＣタグ付名刺を利用したコンテンツ配信システムの全体構成図である。
【図４】本考案の実施例２に係るＮＦＣタグ付名刺を利用してワンタイムＵＲＬの発行によるコンテンツ配信システムの要部説明図である。
【図５】本考案の実施例２に係るＮＦＣタグ付名刺の一部を構成するＮＦＣタグの電気系統のブロック図である。
【考案を実施するための形態】
【００２３】
以下、本考案の実施例を具体的に説明する。
【実施例】
【００２４】
図１において、１０は本考案の実施例１に係るＮＦＣタグ付名刺で、このＮＦＣタグ付名刺１０は、表面に名刺内容（所属会社と名前）が表示されたカード１１を本体とする。このカード１１の右下の角部には、ＮＦＣタグ１２が埋め込まれている。以下、これらを具体的に説明する。
【００２５】
カード１１は、縦５５ｍｍ、横９１ｍｍの横向きの名刺標準サイズの白紙片である。
ＮＦＣタグ１２は、ＩＳＯ／ＩＥＣ１８０９２で標準化された周波数１３．５６ＭＨｚの近距離無線通信方式のＲＦＩＤ（Ｒａｄｉｏ  ｆｒｅｑｕｅｎｃｙ  ｉｄｅｎｔｉｆｉｃａｔｉｏｎ）タグである。ＮＦＣタグ１２は、パッシブ型無線タグと同様に、スマートフォン（図３を参照）１３から非接触で供給された電力により動作する。
【００２６】
図２のブロック図に示すように、このＮＦＣタグ１２には、合成樹脂からなる円形のベースシート１４の面に、渦巻状のアンテナ１５と、ＮＦＣ通信部１６と、タグ記憶部１７と、制御部１８と、受電部１９とが配設されている。
ＮＦＣ通信部（高周波回路）１６は、近傍（例えば数ｍ）に存在しているスマートフォン１３との近距離無線通信を実行する手段である。
【００２７】
タグ記憶部１７は、名刺内容（名刺に記載された相手の情報）の電子データと、音楽アーティストの限定ライブの動画（コンテンツ）を配信する情報サイトＳが所有するコンテンツサーバ（クラウドサーバ）２０のアドレスとを記憶する手段である。
制御部１８は、ＣＰＵを内蔵して、ＮＦＣタグ１２の全体を制御する手段である。
受電部１９は、電源回路を有して、ＮＦＣ通信部１６を通してスマートフォン１３からの電力を非接触で受電する手段である。
【００２８】
図３に示すように、スマートフォン１３は、スマートフォン通信部２１を介してインターネット回線２２に接続される携帯情報端末の一種で、表示部としてのディスプレイ２３と、ＮＦＣリーダライタ２４とを有している。ＮＦＣリーダライタ２４は、近距離無線通信を介して、ＮＦＣタグ１２のタグ記憶部１７に記憶されたデータを読み取る。
【００２９】
コンテンツサーバ２０は、サーバ通信部２５を介してインターネット回線２２に接続され、かつ音楽アーティストのライブ動画の配信会社が運営するクラウド上のサーバである。コンテンツサーバ２０のデータベース（サーバ記憶部）２６に、音楽アーティストの限定ライブの動画を配信する情報サイト（動画配信サイト）Ｓのコンテンツが記憶されている。
【００３０】
次に、図１〜図３を参照して、本考案の実施例１に係るＮＦＣタグ付名刺１０によるコンテンツ取得方法を説明する。
図１に示すように、名刺交換時、相手からＮＦＣタグ付名刺１０が手渡されたときには、必要に応じて、そのＮＦＣタグ付名刺１０をスマートフォン１３にかざす。これにより、スマートフォン１３から近距離無線通信を通して発信された電力が、アンテナ１５からＮＦＣ通信部１６を通して受電部１９が受電し、ＮＦＣタグ１２が作動する（図２を参照）。
【００３１】
これにより、図３に示すように、スマートフォン１３のＮＦＣリーダライタ２４が作動し、近距離無線通信を介して、タグ記憶部１７に記憶された相手の名刺内容（情報）と、音楽アーティストの限定ライブを配信する情報サイトＳのコンテンツサーバ２０のアドレスとを取得する。
【００３２】
その後、スマートフォン１３は、インターネット回線２２を介してコンテンツサーバ２０にアクセスし、ライブ動画の配信を要求する。これを受けたコンテンツサーバ２０は、インターネット回線２２を介して、データベース２６に記憶されたライブ動画のデータをスマートフォン１３に送信する。これを受けたスマートフォン１３は、動画データをディスプレイ２３に表示する。
【００３３】
このように、ＮＦＣタグ付名刺１０では、所定のコンテンツの取得ツールとしてＮＦＣタグ１２を採用したため、従来のバーコードの場合に比べて、名刺内容やコンテンツの提供先のアドレスのコピーが困難となり、セキュリティ性を高めることができる。しかも、従来のバーコードではなくＮＦＣタグ１２を採用したことで、仮に暗い場所でも名刺内容のデータやコンテンツの提供先のアドレスを読み取ることができる。
【００３４】
また、ここではＮＦＣタグ１２をカード１１に埋設したため、名刺の表裏面の全体を名刺内容の表示領域とすることもできる。
なお、このアクセス先は、リンク先ＵＲＬをＮＦＣタグ管理システムのＮＦＣタグ情報管理画面で書き換えることで、コンテンツの配信者がいつでも自由に変更することができる。
【００３５】
次に、図４および図５を参照して、本考案の実施例２に係るＮＦＣタグ付名刺について説明する。
図４および図５に示すように、実施例２のＮＦＣタグ付名刺１０Ａの特徴は、実施例１のＮＦＣタグ１２に代えて、ワンタイムＵＲＬを作成可能なＮＦＣタグ（ワンタイムＵＲＬ用ＮＦＣタグ）１２Ａを採用した点である。
これに伴い、コンテンツサーバ２０には、ワンタイムＵＲＬの検証手段３０が設けられている。
【００３６】
これにより、ＮＦＣタグ付名刺１０Ａ（ＮＦＣタグ１２Ａ）をスマートフォン１３のＮＦＣリーダライタ２４にかざす度に、一意のＵＲＬをＮＦＣタグ１２Ａより発行することができる。
【００３７】
図４に示すように、ワンタイムＵＲＬの発行機能付きのＮＦＣタグ１２Ａには、タグ記憶部１７ＡにワンタイムＵＲＬを発行するためのＵＩＤ（固有の識別子）、カウンタ、静的データの一部、タグ改ざんステータス、メッセージ認証コードが記憶されている。
また、ＮＦＣタグ１２Ａは、これをスマートフォン１３のＮＦＣリーダライタ２４にかざした際に、コンテンツサーバ２０に送信される署名を含む一意のＵＲＬを作成（発行）するためのワンタイムＵＲＬ作成部３１を有している。
ワンタイムＵＲＬ作成部３１は、カウンタ、タグ改ざんステータス、メッセージ認証コードの一部あるいは全てを使用してタッチの都度ユニークなワンタイムＵＲＬを発行する構成を有したものである。
【００３８】
次に、図５を参照して、本考案の実施例２に係るＮＦＣタグ付名刺１０Ａの使用方法を説明する。
図５に示すように、名刺交換後、相手から手渡されたＮＦＣタグ付名刺１０Ａをスマートフォン１３にかざすと、スマートフォン１３から近距離無線通信を通して発信された電力によりＮＦＣタグ１２Ａが作動する。
その際、ＮＦＣタグ１２ＡをＮＦＣリーダライタ２４にかざす度に、ワンタイムＵＲＬ作成部３０により一意のＵＲＬが発行される。
【００３９】
具体的には、ワンタイムＵＲＬ作成部３１が、カウンタ、タグ改ざんステータス、メッセージ認証コードの一部あるいは全てがスマートフォン１３のＮＦＣリーダライタ２４にかざす都度動的に変化することで、ＮＦＣタグ１２ＡによりワンタイムＵＲＬが発行される。
これにより、その後にこのＵＲＬをコピーしてもコンテンツを取得することができず、セキュリティレベルをさらに高めることができる。
その他の構成、作用および効果は、実施例１から推測可能な範囲であるため、説明を省略する。
【産業上の利用可能性】
【００４０】
本考案のＮＦＣタグ付名刺は、セキュリティ性が高く、例えばＮＦＣタグ付名刺にスマートフォン等でタッチした会員だけの限定サービス等の配信先を限定したい場合などに好適な名刺として有用な技術である。
【符号の説明】
【００４１】
１０，１０Ａ  ＮＦＣタグ付名刺
１１  カード
１２，１２Ａ  ＮＦＣタグ
１７，１７Ａ  タグ記憶部
【図１】
0003229446.tif 000003
【図２】
0003229446.tif 000004
【図３】
0003229446.tif 000005
【図４】
0003229446.tif 000006
【図５】
0003229446.tif 000007